(57)【特許請求の範囲】
【請求項１】
トイレ空間内で使用し同一電気コードで電力供給されるトイレ用電気機器において、各電力消費ユニットの電力配分割合を記憶する配分割合記憶手段と、前記配分割合記憶手段に記憶される配分割合を使用者が自由に変更する操作変更手段と、前記配分割合記憶手段に基づいて許容総電力を越えないように前記各電力消費ユニットの電力を制御するユニット電力制御手段と、を有することを特徴とするトイレ用電気機器。
【請求項２】
トイレ空間内で使用し同一電気コードで電力供給されるトイレ用電気機器において、許容総電力を記憶する許容総電力記憶手段と、各電力消費ユニットの電力配分割合を記憶する配分割合記憶手段と、前記配分割合記憶手段に記憶される配分割合を使用者が自由に変更する操作変更手段と、前記許容総電力記憶手段と前記配分割合記憶手段に基づいて前記各電力消費ユニットの電力を制御するユニット電力制御手段と、を有することを特徴とするトイレ用電気機器。
【請求項３】
トイレ空間内で使用し同一電気コードで電力供給されるトイレ用電気機器において、許容総電力を記憶する許容総電力記憶手段と、前記許容総電力記憶手段に記憶される電力を電源の許容総電力の範囲内で任意に個人で自由に変更する許容総電力変更手段と、各電力消費ユニットの電力配分割合を記憶する配分割合記憶手段と、前記許容総電力記憶手段と前記配分割合記憶手段に基づいて前記各電力消費ユニットの電力を制御するユニット電力制御手段と、を有することを特徴とするトイレ用電気機器。
【請求項４】
前記許容総電力記憶手段に記憶される電力を電源の許容総電力の範囲内で任意に個人で自由に変更する許容総電力変更手段を有することを特徴とする請求項２記載のトイレ用電気機器。
【請求項５】
トイレ空間内で使用し同一電気コードで電力供給されるトイレ用電気機器において、許容総電力を記憶する許容総電力記憶手段と、各電力消費ユニットの電力配分割合を記憶する配分割合記憶手段と、前記配分割合記憶手段に記憶される配分割合を検出手段により検出された検出内容に応じて自動的に変更する自動変更手段と、前記許容総電力記憶手段と前記配分割合記憶手段に基づいて前記各電力消費ユニットの電力を制御するユニット電力制御手段と、を有し、前記許容総電力記憶手段に記憶される電力を電源の許容総電力の範囲内で任意に変更する許容総電力変更手段を有することを特徴とするトイレ用電気機器。」
【発明の詳細な説明】
【０００１】
【発明の属する技術分野】
トイレにおいて使用する電気機器に関するものである。
【０００２】
【従来の技術】
近年、トイレ空間においても、局部を洗浄する局部洗浄機、トイレ内の温度調節を行う暖房機や冷房機、汚物の臭いを取り除く脱臭機、局部の乾燥を行う局部乾燥機、排便時や排尿時の音をマスキングする擬音機、便座を暖める暖房便座、老人や体が不自由な人用の昇降便座や介助装置など、快適性を上げるために、多くの電気機器が用いられ、トイレ空間における電力消費は、快適性の追求とともに増加傾向にある。
【０００３】
このようなトイレ用電気機器は、それぞれを単体で設置し別々の電源コードから電力を供給することも可能であるが、複数のトイレ用電気機器を使用する使用者の利便性を考え、例えば局部洗浄機と暖房機と脱臭機と局部乾燥機と暖房便座をそれぞれユニットとして１つの装置に組み込み、１つの電源コードから電力を供給して用いる場合が多い。
【０００４】
また、従来は、複数のトイレ用電気機器の使用による総電力がトイレに配線された電源の許容総電力を越えないような使用方法が、例えば特開平６−２５７２０１で開示されている。
【０００５】
【発明が解決しようとする課題】
しかし、複数の各電力消費ユニットを同時に使用する場合の従来の使用方法は、単に複数の各電力消費ユニットの総使用電力が、所定の値を越えないような制御をするだけで、設置環境や使用者の好みや使用環境や使用状況や使用頻度や排便状態に合わした効率的な制御を行うものではなく、必要以上の能力で各電力消費ユニットを使用している場合が多く、このような使用は、快適な使用の妨げになるばかりか、省エネルギーの観点からも好ましくない。
【０００６】
本発明は、上記課題を解決するためになされたものであり、使用者の利便性を考えて、１つの電源コードで電力が供給される複数のトイレ用電気機器を、それぞれユニットとして１つの装置に組み込んだトイレ用電気機器において、設置環境や使用者の好みや使用環境や使用状況や使用頻度や排便状態に応じて、許容総電力を越えないようにユニットの電力を制御することによって、各ユニットの適切な制御ができ、各ユニットの使用効率を上げ、使用者の快適性の向上と省エネルギー運転が可能なトイレ用電気機器を提供するものである。
【０００７】
【課題を解決するための手段および作用・効果】
上記課題を解決するために請求項１は、トイレ空間内で使用し同一電気コードで電力供給されるトイレ用電気機器において、各電力消費ユニットの電力配分割合を記憶する配分割合記憶手段と、前記配分割合記憶手段に記憶される配分割合を個人で変更する操作変更手段と、前記配分割合記憶手段に基づいて許容総電力を越えないように前記各電力消費ユニットの電力を制御するユニット電力制御手段と、を有することを特徴とするので、許容総電力内で各電力消費ユニットを同時使用したい場合に、従来のように使用したい各電力消費ユニットのうちのどれかを、単に止めたり能力を抑えたりするのではなく、設置環境や使用者の好みや使用環境や使用状況や使用頻度や排便状態に応じて、使用者が自由に優先的に使用したい消費電力ユニットを選択し、許容総電力内で複数の電力消費ユニットを同時使用することができる。
【０００８】
ここで、各電力消費ユニットは、上記従来技術で説明した各種トイレ用電気機器のみを指すものではなく、各トイレ用電気機器の構成要素（例えば、局部洗浄機の場合は、ノズル伸縮モータや温水用ヒータ等）をも指し、よりきめの細かい制御が可能である。
【０００９】
よって、例えば、局部洗浄とトイレ内暖房を同時に行う場合に、局部洗浄を優先させて暖房能力を抑えた使用や、暖房を優先させて局部洗浄能力を抑えた使用や、局部洗浄ユニットの中でもさらに洗浄流量は変えずに温水の温度だけを抑えた使用や、局部洗浄ユニットの中でもさらに温水の温度は変えずに洗浄流量だけを抑えた使用や、トイレ内暖房の温風用ヒータへの通電のみ停止した（送風ファンには通電）使用など、個人の好みに合わせて各電力消費ユニットの適切な制御ができるので、電力消費ユニットによっては、消費電力を抑えている、および／または、使用を停止するにもかかわらず、使用者に不便を感じさせないばかりか、使用者の快適性を向上させるトイレ用電気機器の多様な使用を行うことができる。
【００１２】
上記課題を解決するために請求項２は、トイレ空間内で使用し同一電気コードで電力供給されるトイレ用電気機器において、許容総電力を記憶する許容総電力記憶手段と、各電力消費ユニットの電力配分割合を記憶する配分割合記憶手段と、前記配分割合記憶手段に記憶される配分割合を個人で変更する操作変更手段と、前記許容総電力記憶手段と前記配分割合記憶手段に基づいて前記各電力消費ユニットの電力を制御するユニット電力制御手段と、を有することを特徴とするので、許容総電力内で各電力消費ユニットを同時使用したい場合に、従来のように使用したい各電力消費ユニットのうちのどれかを、単に止めたり能力を抑えたりするのではなく、設置環境や使用者の好みや使用環境や使用状況や使用頻度や排便状態に応じて、使用者が自由に優先的に使用したい消費電力ユニットを選択し、許容総電力記憶手段に記憶された許容総電力に基づいて複数の電力消費ユニットを同時使用することができる。
【００１３】
よって、例えば、局部洗浄とトイレ内暖房を同時に行う場合に、局部洗浄を優先させて暖房能力を抑えた使用や、暖房を優先させて局部洗浄能力を抑えた使用や、局部洗浄ユニットの中でもさらに洗浄流量は変えずに温水の温度だけを抑えた使用や、局部洗浄ユニットの中でもさらに温水の温度は変えずに洗浄流量だけを抑えた使用や、トイレ内暖房の温風用ヒータへの通電のみ停止した（送風ファンには通電）使用など、個人の好みに合わせて各電力消費ユニットの適切な制御ができるので、電力消費ユニットによっては、消費電力を抑えている、および／または、使用を停止するにもかかわらず、使用者に不便を感じさせないばかりか、使用者の快適性を向上させるトイレ用電気機器の多様な使用を行うことができる。
【００１６】
上記課題を解決するために請求項３は、トイレ空間内で使用し同一電気コードで電力供給されるトイレ用電気機器において、許容総電力を記憶する許容総電力記憶手段と、前記許容総電力記憶手段に記憶される電力を電源の許容総電力の範囲内で任意に変更する許容総電力変更手段と、各電力消費ユニットの電力配分割合を記憶する配分割合記憶手段と、前記許容総電力記憶手段と前記配分割合記憶手段に基づいて前記各電力消費ユニットの電力を制御するユニット電力制御手段と、を有することを特徴とするので、トイレ用電気機器の設置環境や個人の好みや使用環境や使用状況や使用頻度や排便状態に応じて電源の許容総電力の範囲内でトイレ用電気機器の許容総電力を個人で自由に設定することができる。
【００１７】
よって、トイレ用電気機器を設置するトイレに配線された電源の許容総電力が小さい場合や他のトイレ用電気機器と同時使用する場合には、本発明のトイレ用電気機器の許容総電力の設定値を小さくすることにより、許容総電力を越えるような使用を行ってしまう危険がない。さらに、個人の好みに合わせて省エネルギー運転を行うこともできる。また、使用者の快適性をできるだけ損なうことなく省エネルギー運転を行うことができる。また、トイレ用電気機器を設置するトイレに配線された電源の許容総電力に余裕がある場合には、本発明のトイレ用電気機器の許容総電力の設定値を大きくすることにより、さらに快適なトイレ用電気機器の使用が可能である。また、電源からの供給電圧を検知して、供給電圧が低い場合は、電源ブレーカーが落ちないように、許容総電力の設定値を小さくすることにより、電源ブレーカーが落ちるといった不具合を未然に防ぐことができる。
【００１８】
上記課題を解決するために請求項４又は請求項５は、前記許容総電力記憶手段に記憶される電力を電源の許容総電力の範囲内で個人で変更する許容総電力操作変更手段を有することを特徴とするので、トイレ用電気機器の設置環境や個人の好みや使用環境や使用状況や使用頻度や排便状態に応じて電源の許容総電力の範囲内でトイレ用電気機器の許容総電力を個人で自由に設定することができる。
【００１９】
よって、トイレ用電気機器を設置するトイレに配線された電源の許容総電力が小さい場合や他のトイレ用電気機器と同時使用する場合には、本発明のトイレ用電気機器の許容総電力の設定値を小さくすることにより、許容総電力を越えるような使用を行ってしまう危険がない。さらに、個人の好みに合わせて省エネルギー運転を行うこともできる。また、使用者の快適性をできるだけ損なうことなく省エネルギー運転を行うことができる。また、トイレ用電気機器を設置するトイレに配線された電源の許容総電力に余裕がある場合には、本発明のトイレ用電気機器の許容総電力の設定値を大きくすることにより、さらに快適なトイレ用電気機器の使用が可能である。また、電源からの供給電圧を検知して、供給電圧が低い場合は、電源ブレーカーが落ちないように、許容総電力の設定値を小さくすることにより、電源ブレーカーが落ちるといった不具合を未然に防ぐことができる。
【００３０】
【発明の実施の形態】
以下に本発明の実施例について、図面に基づいて説明する。
図１は、局部洗浄とトイレ内暖房と便座暖房と脱臭と局部乾燥の各機能を有するトイレ用電気機器の構成図である。
【００３１】
局部洗浄機能１の主な電力消費ユニットは、洗浄ノズル伸縮モータ１ａ、流量調節バルブ１ｂ、熱交換器１ｃ、水ポンプ１ｄ、止水バルブ１ｅ等である。熱交換器１ｃは、湯切れの心配のない瞬間加熱型である。また、トイレ内暖房機能２の主な電力消費ユニットは、送風ファン２ａ、温風ヒータ２ｂ等である。また、便座暖房機能３の主な電力消費ユニットは、便座ヒータ３ａである。また、脱臭機能４の主な電力消費ユニットは、送風ファン４ａである。また、局部乾燥機能５の主な電力消費ユニットは、送風ファン５ａ、温風ヒータ５ｂ等である。
【００３２】
ユニット電力制御手段６は、上記各電力消費ユニットの電力供給と動作制御を行う。また、ユニット電力制御手段６は、配分割合記憶手段７ａに記憶された配分割合に基づいて、許容総電力を越えないように、各電力消費ユニットへの電力供給と動作制御を行う。
【００３３】
操作変更手段７ｂは、配分割合記憶手段７ａに記憶されている配分割合の変更を行うための、手動入力手段である。
【００３４】
図１の構成で、例えば、局部洗浄機能１とトイレ内暖房機能２を同時に使用する場合に、局部洗浄機能１を優先させて暖房能力を抑えた（送風ファン２ａや温風ヒータ２ｂの能力を抑えた）使用や、暖房を優先させて局部洗浄能力を抑えた（流量調節バルブ１ｂにより瞬間流量を抑え熱交換器１ｃの消費電力を抑えた）使用や、局部洗浄機能１の中でもさらに瞬間流量は変えずに熱交換器１ｃの消費電力を抑えることにより温水の温度だけを抑えた使用や、局部洗浄機能１の中でもさらに温水の温度は変えずに洗浄流量だけを抑え、結果的に熱交換器１ｃの消費電力を抑えた使用や、トイレ内暖房機能２の温風ヒータ２ｂへの通電のみ停止した（送風ファン２ａには通電）使用など、個人の好みに合わせてた各電力消費ユニットの適切な制御ができるので、電力消費ユニットによっては、消費電力を抑えている、および／または、使用を停止するにもかかわらず、使用者に不便を感じさせないばかりか、使用者の快適性を向上させるトイレ用電気機器の多様な使用を行うことができる。
【００３５】
図１の実施例に加え、図２の構成図のように許容総電力記憶手段８ａと許容総電力変更手段８ｂとを設ければ、トイレ用電気機器を設置するトイレに配線された電源の許容総電力が小さい場合や他のトイレ用電気機器と同時使用する場合には、許容総電力変更手段８ｂによりトイレ用電気機器の許容総電力記憶手段８ａの設定値を小さくすれば、許容総電力を越えるような使用を行ってしまう危険がない。
【００３６】
さらに、個人の好みに合わせて許容総電力変更手段８ｂにより許容総電力記憶手段８ａの設定値を変更することにより（例えば、通常は１２００Ｗに設定しておき、個人の好みにより１１００Ｗ、１０００Ｗ、９００Ｗといった値に変更する）、省エネルギー運転を行うことができ、使用者の快適性をできるだけ損なうことなく省エネルギー運転を行うこともできる。
【００３７】
また、トイレ用電気機器を設置するトイレに配線された電源の許容総電力に余裕がある場合には、トイレ用電気機器の許容総電力の設定値を大きくすることにより、許容電力に余裕があるにもかかわらず一部の電力消費ユニットの消費電力が必要以上に抑えられるといった不具合がない。
【００３８】
また、供給電圧検知手段８ｃ（図示しない）で電源からの供給電圧を検知して、供給電圧が低い場合は、電源ブレーカーが落ちないように、許容総電力の設定値を小さくすることにより、電源ブレーカーが落ちるといった不具合を未然に防ぐことができる。
【００３９】
個人で許容総電力記憶手段８ａの設定値を変更する場合は、電源の許容総電力を越えない変更になるように、設定できる許容総電力値の上限が決められ、上限以上の変更ができないリミッターを有する。
【００４０】
図２の実施例に加え、図３の構成図のようにトイレ用電気機器の使用状況を検出する使用状況検出手段９１と、使用状況検出手段９１の検出内容に応じて配分割合記憶手段７ａに記憶される配分割合を自動的に変更する自動変更手段７ｃとを設ければ、個人で変更したトイレ用装置の各設定値および／または消費電力ユニットの種類を使用状況検出手段９１で検出できる。
【００４１】
例えば、局部洗浄の洗浄流量を増やす変更を行った場合や局部洗浄の洗浄水湯温を上げる変更を行った場合などは、熱交換器１ｃの消費電力が大きくなるので、使用状況検出手段９１で検出した洗浄流量や洗浄水湯温の変更された設定値に応じて、自動変更手段７ｃで配分割合記憶手段７ａの配分割合を変更でき、自動でトイレ内暖房機能２の能力を抑えることができる。よって、トイレ内暖房機能２の能力は抑えられるが、使用者がその時に最も使用したい消費電力ユニットを優先的に使用でき、使用者に不便を感じさせないばかりか、使用者の快適性を向上させるトイレ用電気機器の多様な使用を行うことができる。
【００４２】
図２の実施例に加え、図４の構成図のようにトイレ用電気機器の使用環境を検出する使用環境検出手段９２と、使用環境検出手段９２の検出内容に応じて配分割合記憶手段７ａに記憶される配分割合を自動的に変更する自動変更手段７ｃとを設ければ、例えば日付や時刻、室温を使用環境検出手段９２で検出できる。
【００４３】
例えば、局部洗浄機能１とトイレ内暖房機能２を使用する場合、夏は室温が高くトイレ内暖房機能２は利用しない機会が多いので、カレンダー機能を有した時計９２ａを内蔵し、使用環境検出手段９２で時計９２ａの内容から季節を検出し、自動変更手段７ｃで配分割合を変更し、夏はトイレ内暖房機能２を使用せず、局部洗浄機能１を優先した運転を行い、真冬になるに従い、トイレ内暖房機能２の配分割合を増やす運転を行うことができる。さらに、使用環境検出手段９２で時計９２ａの内容から時刻を検出し、真夜中はファンの音が響くので、昼間に比べ送風ファン２ａや温風ヒータ２ｂ、送風ファン５ａや温風ヒータ５ｂ、送風ファン４ａの能力を抑え、静音性を高めた運転を行い、局部洗浄能力を優先させた制御を行うことができる。
【００４４】
また、使用環境検出手段９２による検出内容は、日付や時刻のみならず、室温や湿度、気圧や明るさ臭いといった環境変数であっても、同様の制御を行うことができる。
【００４５】
よって、使用環境検出手段で使用環境を検出し、優先させたい電力消費ユニットを判断することにより、使用者に不便を感じさせないばかりか、使用者の快適性を向上させるトイレ用電気機器の多様な使用を行うことができる。
【００４６】
図２の実施例に加え、図５の構成図のようにトイレ用電気機器の使用頻度を検出する使用頻度検出手段９３と、使用頻度検出手段９３の検出内容に応じて配分割合記憶手段７ａに記憶される配分割合を自動的に変更する自動変更手段７ｃとを設ければ、各消費電力ユニットの内、どの消費電力ユニットの使用頻度が多いかを使用状況検出手段９１で検出できる。
【００４７】
例えば、トイレ内暖房機能２をよく使用する場合は、トイレ内暖房を優先させた制御を行い、局部洗浄機能１や脱臭機能４の能力を抑えた制御を行うことができる。よって、電力消費ユニットによっては、消費電力を抑えている、および／または、使用を停止するにもかかわらず、使用者に不便を感じさせないばかりか、使用者の快適性を向上させるトイレ用電気機器の多様な使用を行うことができる。
【００４８】
図２の実施例に加え、図６の構成図のようにトイレ用電気機器の使用者を識別し検出する使用者識別検出手段９４と、使用者識別検出手段９４の検出内容に応じて配分割合記憶手段７ａに記憶される配分割合を自動的に変更する自動変更手段７ｃとを設ければ、使用者識別検出手段９４で個人、性別、年齢、体調を検出し、個人、性別、年齢、体調、各使用者の癖や好みや使用頻度の多い電力消費ユニット、等に合わせた電力配分割合で、適切な電力消費ユニットを自動的に優先させた制御を行うことができる。
【００４９】
使用者識別検出手段９４としては、重量センサーによる体重検出や重量センサーの重量分布による座り方検出、超音波距離センサーによる座り方検出、温度センサーによる体温検出、指紋検知機による指紋検出、画像検出処理機による体型検出や個人検出、アイセンサーによる虹彩検出（個人検出）、音声認識器による声紋検出（個人検出）、ＩＤカードを読みとり機に読みとらせることによる個人検出、手動入力機で登録番号等を入力することによる個人検出、等が考えられる。
【００５０】
例えば、トイレ内暖房機能２を優先させたい使用者を識別し検出した場合は、局部洗浄機能１や脱臭機能４の能力を抑えた制御を行い、脱臭機能４の能力を優先させたい使用者を識別し検出した場合は、トイレ内暖房機能２や局部洗浄機能１の能力を抑えた制御を行うといったことができる。よって、電力消費ユニットによっては、消費電力を抑えている、および／または、使用を停止するにもかかわらず、使用者に合わせた配分割合で各電力消費ユニットを運転するので、使用者に不便を感じさせないばかりか、使用者の快適性を向上させるトイレ用電気機器の多様な使用を行うことができる。
【００５１】
図２の実施例に加え、図７の構成図のようにトイレ用電気機器の使用者の排便状態を検出する排便状態検出手段９５と、排便状態検出手段９５の検出内容に応じて配分割合記憶手段７ａに記憶される配分割合を自動的に変更する自動変更手段７ｃとを設ければ、排便状態検出手段９５で下痢や健常な排便や便秘やガスの多い排便やにおいの強い排便といった排便状態を検出し、下痢や健常な排便や便秘やガスの多い排便やにおいの強い排便等に合わせた電力配分割合で、適切な電力消費ユニットを自動的に優先させた制御を行うことができる。
【００５２】
排便状態検出手段９５としては、排便音を検出するマイク、排便臭を検出する臭いセンサー、便形状を検出する画像検出処理機、等が考えられる。
【００５３】
例えば下痢の時は、局部における汚物付着範囲が大きくなるので、広範囲を洗浄するために洗浄ノズル伸縮モータ１ａの駆動を優先させる局部洗浄機能１の制御を行い、排便中にガスが多く便器のボール水面に浮遊する汚物が多かったり、排便臭が強い場合は、脱臭機能４を優先させた制御を行うことができる。よって、電力消費ユニットによっては、消費電力を抑えている、および／または、使用を停止するにもかかわらず、排便状態に合わせた配分割合で各電力消費ユニットを運転するので、使用者に不便を感じさせないばかりか、使用者の快適性を向上させるトイレ用電気機器の多様な使用を行うことができる。
【図面の簡単な説明】
【図１】本発明係わるトイレ用電気機器の実施例に係わる構成図。
【図２】本発明係わるトイレ用電気機器の他の実施例に係わる構成図。
【図３】本発明係わるトイレ用電気機器の他の実施例に係わる構成図。
【図４】本発明係わるトイレ用電気機器の他の実施例に係わる構成図。
【図５】本発明係わるトイレ用電気機器の他の実施例に係わる構成図。
【図６】本発明係わるトイレ用電気機器の他の実施例に係わる構成図。
【図７】本発明係わるトイレ用電気機器の他の実施例に係わる構成図。
【符号の説明】
１…局部洗浄機能
１ａ…洗浄ノズル伸縮モータ
１ｂ…流量調節バルブ
１ｃ…熱交換器
１ｄ…水ポンプ
１ｅ…止水バルブ
２…トイレ内暖房機能
２ａ…送風ファン
２ｂ…温風ヒータ
３…便座暖房機能
３ａ…便座ヒータ
４…脱臭機能
４ａ…送風ファン
５…局部乾燥機能
５ａ…送風ファン
５ｂ…温風ヒータ
６…ユニット電力制御手段
７ａ…配分割合記憶手段
７ｂ…操作変更手段
７ｃ…自動変更手段
８ａ…許容総電力記憶手段
８ｂ…許容総電力変更手段
８ｃ…供給電圧検知手段
９１…使用状況検出手段
９２…使用環境検出手段
９２ａ…時計
９３…使用頻度検出手段
９４…使用者識別検出手段
９５…排便状態検出手段
【図１】
0003627525.tif 000002
【図２】
0003627525.tif 000003
【図３】
0003627525.tif 000004
【図４】
0003627525.tif 000005
【図５】
0003627525.tif 000006
【図６】
0003627525.tif 000007
【図７】
0003627525.tif 000008